(57)【要約】【課題】すすぎ性能の向上を図ること。【解決手段】食器類が内置される洗浄槽と、前記洗浄槽内に設けられ、かつ洗浄槽内に洗浄水を噴射する噴射ノズル体と、前記噴射ノズル体に洗浄水を加圧供給する洗浄ポンプと、前記洗浄槽の底側が設けられ、かつ前記洗浄ポンプの吸込側に流れる洗浄水が集まる集水部と、前記集水部に設けられ、かつ洗浄水に含まれる残滓を捕集する容器状の残滓濾過フィルタとを備え、前記残滓濾過フィルタ内を分けて残滓捕集に用いることを特徴とする。【選択図】図１
2006122362.tif 000002
【特許請求の範囲】
【請求項１】
食器類が内置される洗浄槽と、前記洗浄槽内に設けられ、かつ洗浄槽内に洗浄水を噴射する噴射ノズル体と、前記噴射ノズル体に洗浄水を加圧供給する洗浄ポンプと、前記洗浄槽の底側が設けられ、かつ前記洗浄ポンプの吸込側に流れる洗浄水が集まる集水部と、前記集水部に設けられ、かつ洗浄水に含まれる残滓を捕集する容器状の残滓濾過フィルタとを備え、
前記残滓濾過フィルタ内を複数に分けて残滓捕集に用いることを特徴とする食器洗い機。
【請求項２】
食器類が内置される洗浄槽と、前記洗浄槽内に設けられ、かつ洗浄槽内に洗浄水を噴射する噴射ノズル体と、前記噴射ノズル体に洗浄水を加圧供給する洗浄ポンプと、前記洗浄槽の底側が設けられ、かつ前記洗浄ポンプの吸込側に流れる洗浄水が集まる集水部と、前記集水部に設けられ、かつ洗浄水に含まれる残滓を捕集する濾過部を有する残滓濾過フィルタとを備え、
前記残滓濾過フィルタ内を洗浄運転工程用とすすぎ運転工程用とに分けて用いることを特徴とする食器洗い機。
【請求項３】
食器類が内置される洗浄槽と、前記洗浄槽内に設けられ、かつ洗浄槽内に洗浄水を噴射する噴射ノズル体と、前記噴射ノズル体に洗浄水を加圧供給する洗浄ポンプと、前記洗浄槽の底側が設けられ、かつ前記洗浄ポンプの吸込側に流れる洗浄水が集まる集水部と、前記集水部に設けられ、かつ洗浄水に含まれる残滓を捕集する容器の形状をした滓濾過フィルタを備え、
前記残滓濾過フィルタの開口側を部分的に被う遮蔽部材を設け、
前記残滓濾過フィルタを回動して前記遮蔽部材で被われる位置を移動させることを特徴とする食器洗い機。
【請求項４】
請求項３において、
前記遮蔽部材は、前記残滓濾過フィルタの一部に被さるようにセットしたり、残滓濾過フィルタの上側から立ち退くように回動できるように支持され、かつ前記残滓濾過フィルタが前記集水部に着脱自在であることを特徴とする食器洗い機。
【請求項５】
請求項４において、
前記残滓濾過フィルタを回転駆動するフィルタ用電動機を設けたことを特徴とする食器洗い機。
【請求項６】
請求項５において、
前記フィルタ用電動機として同期電動機を用い、
前記残滓濾過フィルタが一回転する毎に、該残滓濾過フィルタの位置を一回検知する原点位置センサを設け、
前記原点位置センサが検知する検知信号を基点として算定する運転時間管理により前記残滓濾過フィルタ用電動機の運転制御をすることを特徴とする食器洗い機。
【請求項７】
請求項５において、
前記フィルタ用電動機は、前記残滓濾過フィルタに減速して回転を伝える減速手段を含むことを特徴とする食器洗い機。
【請求項８】
請求項６において、
減速手段の出力軸にカムを設け、
前記カムの回転に応じ、前記原点位置センサとしてのオン・オフの検知信号を出力するカムスイッチを特徴とする食器洗い機。
【発明の詳細な説明】
【技術分野】
【０００１】
本発明は、洗浄に伴い出て来る残滓を捕集する残滓濾過フィルタが備わる食器洗い機の改良に係わるものである。
【背景技術】
【０００２】
食器洗い機は、例えば、特許文献１（特開２００３−２２０００５号公報）に示されるような構成を有する。
【０００３】
食器洗い機には、残滓濾過フィルタが備わる。洗浄水に含まれる残滓を捕集する残滓濾過フィルタは、洗浄槽の底側の集水部に設けられる。残滓濾過フィルタで、残滓が除かれた洗浄水は洗浄ポンプで加圧されて噴射ノズル体から再び洗浄槽内に噴射されて食器の洗浄が行われる。
【０００４】
【特許文献１】特開２００３−２２０００５号公報
【発明の開示】
【発明が解決しようとする課題】
【０００５】
洗浄運転工程、すすぎ運転工程を通じ、残滓濾過フィルタに捕集される残滓は、大部分が洗浄運転工程のもので、すすぎ運転工程で捕集される量は僅かである。すすぎ運転工程では、洗浄運転工程で捕集した残滓が溜まる残滓濾過フィルタのところにすすぎ水が流されるので、すすぎ性能が落ちる。
【０００６】
本発明は、上記の問題に鑑み、食器洗い機のすすぎ性能の向上を図ることを目的とする。
【課題を解決するための手段】
【０００７】
本発明は、食器類が内置される洗浄槽と、前記洗浄槽内に設けられ、かつ洗浄槽内に洗浄水を噴射する噴射ノズル体と、前記噴射ノズル体に洗浄水を加圧供給する洗浄ポンプと、前記洗浄槽の底側が設けられ、かつ前記洗浄ポンプの吸込側に流れる洗浄水が集まる集水部と、前記集水部に設けられ、かつ洗浄水に含まれる残滓を捕集する容器状の残滓濾過フィルタとを備え、前記残滓濾過フィルタ内を分けて残滓捕集に用いることを特徴とする。
【発明の効果】
【０００８】
本発明によれば、残滓濾過フィルタ内を分けて用いることにより、残滓の溜ってない濾過部にすすぎ工程のすすぎ水が流すことができるので、すすぎ性能が向上する。
【発明を実施するための最良の形態】
【０００９】
本発明の実施形態に係わる実施例について、図を引用して説明する。
【００１０】
まず、図１に沿って食器洗い機の概要を説明する。この食器洗い機は、システムキッチンに組み込まれる形態のものである。
【００１１】
食器洗い機の外枠1内に洗浄槽２が備わる。外枠1の前面には、各種のスイッチが備わる操作パネル3が設けられる。操作パネル3に下側は、引き出し用の取っ手４を有する。この取っ手４を利用することで、食器洗い機はシステムキッチンへの出し入れが容易に行われる。外枠1内の下部には、レールガイド５が備わる。このレールガイド５がシステムキッチンのレールに摺動自在に嵌るので、食器洗い機は、システムキッチに軽く出し入れが行われる。
【００１２】
食器かご６は、洗浄槽２内に備わる。この食器かご６に食器７を載置して洗浄を行う。
【００１３】
注水管８は、一端が洗浄槽２に連通するように接続され、他端側が給水弁（図示せず）を介して水道に接続される。排水管９は、一端が洗浄槽２の最低部に備わる排水ポンプ１０の吐出口側に接続され、他端側が排水路（図示せず）に接続される。
【００１４】
噴射ノズル体１１は洗浄槽２の低部側で、かつ食器かご６の下方に備わる。噴射ノズル体１１は、上面側に複数のノズル１１ａを有し、このノズル１１ａより洗浄水を噴射する。噴射ノズル体１１の下部にはポンプ用電動機１２が設けられ、ポンプ用電動機１２の上部に噴射ノズル体１１が回転自在に支持される。洗浄ポンプ１３のランナは噴射ノズル体１１の中央に内置され、ポンプ用電動機１２の回転軸の上端側に支持される。前記排水ポンプ１０のランナは、ポンプ用電動機１２の回転軸の下端側に支持される。
【００１５】
ポンプ用電動機１２は、正逆回転する。回転方向を変えることにより、洗浄と排水の切り替えをする。例えば、正回転で洗浄ポンプ１３がポンプ機能を出すときは排水ポンプ１０はポンプ機能を発揮せず、逆回転で洗浄ポンプ１３がポンプ機能を出さないときは排水ポンプ１０はポンプ機能を出す。
【００１６】
ポンプ用吸込ガイド１４は、ポンプ用電動機１２と噴射ノズル体１１との間に設けられる。このポンプ用吸込ガイド１４は傘形状をなし、外周側に流入口、中央に流出口を有する。
【００１７】
洗浄槽２は、底部に水溜部１５を有する。前記ポンプ用吸込ガイド１４の流入口が水溜部１５の底側に向くようにポンプ用吸込ガイド１４は置かれる。ポンプ用吸込ガイド１４の流出口は、洗浄ポンプ１３の吸込口側に連通するように置かれる。
【００１８】
残滓濾過フィルタ１６は、洗浄水に含まれる残滓を捕集する。残滓濾過フィルタ１６は、水溜部１５の集水部に置かれる。水溜部１５に溜まる洗浄水は集水部から流れ込むので、洗浄水に含まれる残滓は残滓濾過フィルタ１６によって捕集されるのである。
【００１９】
残滓濾過フィルタ１６は、有底円筒状の濾過容器になっている。すなわち、残滓濾過フィルタ１６は、円筒の筒部と、底部と、中央底部から立上がるボス部１７を有し、上部が開口になっている。そして、筒部と、底部は、残滓が濾される濾過孔（網目）の濾過部になっている。筒部の外周縁には、補強リング１６ａが設けられている。また、残滓濾過フィルタ１６には、図２に示すように、筒部内を４つ（複数）に等分する複数の仕切板１６ｂが設けられる。この仕切板１６ｂにより、筒部内は独立した４つの部屋に分けられる。
【００２０】
残滓濾過フィルタ１６の中央底部から立上がるボス部１７は、筒部の丈の２倍程度の高さを有し、筒部の上端より高く突き出る。このボス部１７の上側は、取っ手になる。ボス部１７の取っ手のところをもって残滓の廃棄等に際し、残滓濾過フィルタ１６の着脱を行う。
【００２１】
ボス部１７は内部が中空で、この中空に上端から下方に延在する支持軸１８を有する。支持軸１８は、残滓濾過フィルタ１６の筒部の下端よりも下方に長く突き出ている。
【００２２】
集水部には、立ち上がる軸管１９が設けられる。この軸管１９は、水溜部１５の底部から立ち上がって集水部の上部よりも上方に延在している。洗浄水の水面は、集水部の上部より幾分高くなる程度である。このため、軸管１９の上端が洗浄水の水面よりも十分に高いところに位置するので、洗浄水が軸管１９から溢水することはない。
【００２３】
残滓濾過フィルタ１６を回転駆動する駆動装置２０は、軸管１９の真下であるところの水溜部１５の外底部に取り付けられる。この駆動装置２０は、図６に示されるように、フィルタ用電動機２１と、減速手段（図示せず）と、カム２２と、カムスイッチ２３とを有する。フィルタ用電動機２１は、同期電動機を用いる。カム２２は、減速手段の出力軸に設けられる。カム２２には、カム突起２３ａが設けられる。カムスイッチ２３は、操作レバー２４を有する。カム２２の回転により、操作レバー２４はカム突起２３に動かされる。操作レバー２４の作動に応じてカムスイッチ２３は、オン・オフする。
【００２４】
図１に示すようにカップリング２５は、前記減速手段の出力軸に設けられる。このカップリング２５には、前記残滓濾過フィルタ１６の支持軸１８が着脱自在に連結される。フィルタ用電動機２１の回転は、カップリング２５を介して前記残滓濾過フィルタ１６に伝達される。支持軸１８は軸管１９に挿入することにより、カップリング２５に嵌め込まれて連結される。前記残滓濾過フィルタ１６を持ち上げることにより、支持軸１８はカップリング２５から離脱する。
【００２５】
遮蔽部材２６は、図２に示すように、前記残滓濾過フィルタ１６の上側に被さるように置かれ、かつ半円形状を有する。遮蔽部材２６の直線側中間部には、支持部２７を有する。この支持部２７の穴に残滓濾過フィルタ１６のボス部１７が挿入されることによって、遮蔽部材２６は残滓濾過フィルタ１６に支持される。遮蔽部材２６は、ボス部１７を支軸として回動自在に支持される。
【００２６】
残滓濾過フィルタ１６の上側半分が遮蔽部材２６で覆われているが、残滓濾過フィルタ１６を回すことにより、覆われているところと、覆われていないところの入れ替えができる。
【００２７】
遮蔽部材２６の位置は、洗浄槽２に設けたストッパー２８により規制される。遮蔽部材２６は、残滓濾過フィルタ１６の回転に連れられて回るが、ストッパー２８により抑えられるので、それ以上の回転は阻止される。
【００２８】
なお、遮蔽部材２６の回りは、残滓濾過フィルタ１６の外径よりも幾分大きい半円弧形状になっている。このような形状は、矩形形状に比べ、残滓濾過フィルタ１６の回転に連れられて回る際に、回りも存在するものに当たる恐れがすくなく、遮蔽部材２６を正しい位置の止めることができる。
【００２９】
残滓濾過フィルタ１６の上側は、図２に示すように、左側半分が遮蔽部材２６で覆われ、右側半分が開放の状態に置かれる。しかも、残滓濾過フィルタ１６の筒部内は、仕切板１６ｂにより、左側半分と右側半分が仕切られている。このため、洗浄水は残滓濾過フィルタ１６の右側半分のところだけに流入して残渣が捕集される。左側半分のところには、洗浄水が流入しないので、残滓の捕集は行われない。
【００３０】
なお、残滓濾過フィルタ１の回転が阻害されない範囲で、仕切板１６ｂの上端と遮蔽部材２６との隙間は、少なくすることが望ましい。この隙間を少なくすることで、筒部の左側半分のところに洗浄水が流入するのを抑えることができる。
【００３１】
残滓濾過フィルタ１は、残滓の捕集を洗浄と、すすぎに分けて使うことができるので、すすぎ性能が向上する。
【００３２】
すなわち、洗浄運転では残滓濾過フィルタ１の半分を使って洗浄運転中に出て来る洗浄水中の残滓を捕集する。すすぎ運転では、残滓濾過フィルタ１を１８０度回して残りの半分を用いる。この残り半分は、残滓の捕集がない新しい濾過部である。この新しい濾過部をすすぎ運転に用いるので、洗浄運転で捕集した残滓が存在する濾過部を再び繰り替えして使う場合に比べ、良くすすがれ、すすぎ性能が向上するのである。
【００３３】
ブロック制御回路について、図５を引用して説明する。
【００３４】
制御手段（マイコン）５０は、入力手段５１、水温センサ５２、水位センサ５３、カムスイッチ２３の各種信号を演算処理して駆動制御手段５４を制御したり、表示手段５５の各種表示を制御する。電源回路５６は、商用電源の交流を低圧の直流に換えて制御手段５０に供給する。
【００３５】
駆動制御手段５４は、制御手段５０の制御指示により、給水弁５７、ポンプ用電動機１２、ヒータ５８、ファン用電動機５９、フィルタ用電動機２１を駆動制御する。
【００３６】
次に動作の面から説明する。主に残滓濾過フィルタ１６／駆動装置２０の回動について図７を引用して述べる。
【００３７】
駆動装置２０の回動によりカム２２が回るので、カムスイッチ２３（原点位置センサ）は、オン・オフする。図７では、カムスイッチ２３のオンをもって検知信号とした。この検知信号は、カム２２が一回転（２π）、つまり残滓濾過フィルタ１が一回転すると一回出力される。
【００３８】
この一回転（２π）にかかる時間はＴ時間である。フィルタ用電動機２１に同期電動機を用いているので、Ｔ時間は一定の時間である。残滓濾過フィルタ１の半回転（π）は、１／２Ｔ時間、残滓濾過フィルタ１の1／４回転（1／2π）は１／４Ｔ時間になる。つまり、検知信号の間の時間を計測することにより、残滓濾過フィルタ１の回転角度（回転位置）を知ることができる。時間計測をする代わりに、カムの形状変更により、残滓濾過フィルタ１の回転角度を知ることができるが、カムの交換を必要とする。時間の計測による方が安価で種々の要求に対応できる。
【００３９】
残滓濾過フィルタ１は、前述したように、洗浄運転とすすぎ運転とで半分に分けて使うので、１／２Ｔ時間のところで止めることにより、残滓濾過フィルタ１の回転位置が正しく合わせられる。この時間の計測やフィルタ用電動機２１の運転／停止の指示は制御手段５０で行う。
【００４０】
また、遮蔽部材２６の形状を変更し、それに合わせて回転角度を変えることにより、例えば、残滓濾過フィルタ１を１／４ないし１／３に分けて使用することができる。
【００４１】
この時間計測による残滓濾過フィルタ１の回転角度（回転位置）の検知では、カムの一回転で検知信号を受ける毎に時間計測のリセットをかけることにより、残滓濾過フィルタ１の回転位置検知の精度が向上する。
【００４２】
次に他の実施例について説明する。図３、図４の（イ）・（ロ）を引用して述べる。前記実施例と違うところを主に説明し、共通するところは共通の符号を付して重複を省略する。
【００４３】
残滓濾過フィルタ７０は、筒部の中央に立ち上がるボス部７１を有する。このボス部７１は、前記実施例の残滓濾過フィルタ１６のボス部１７と違い、上端側の高さが筒部の高さと同じである。
【００４４】
連結用中間軸７２は、水溜部１５の底部に回転自在に取り付けられる。水溜部１５の外底部には軸受シール７３を設け、連結用中間軸７２の取り付け個所から水漏れがしないようにしている。連結用中間軸７２の接続受け部には、前記ボス部７１の下端が嵌って連結される。連結用中間軸７２の下端は、駆動装置２０のカップリング２５に嵌って連結される。駆動装置２０の回転は、連結用中間軸７２を介して残滓濾過フィルタ７０に伝達される。
【００４５】
遮蔽部材７４は、前記実施例の遮蔽部材２６と同様に、残滓濾過フィルタ７０の上側を被せるように置かれる。残滓濾過フィルタ７０は、一対の支持軸７５を有する。この支持軸７５は、洗浄槽２に設けた軸受７６に回動自在される。この残滓濾過フィルタ７０の回動支持部（支持軸７５および軸受７６）は、残滓濾過フィルタ７０の外周よりも外側に位置している。回動支持部を支点として遮蔽部材７４を起こすことにより、残滓濾過フィルタ７０の上側から遮蔽部材７４が立ち退く。この状態で、集水部から残滓濾過フィルタ７０を抜き外すのである。残滓濾過フィルタ７０のボス部７１を摘むことで、容易に残滓濾過フィルタ７０を外すことができる。
【００４６】
軸受７６は、上側に嵌め込み口を有する。この嵌め込み口があるので、支持軸７５の脱着が容易にでき、遮蔽部材７４を外して集水部の回りの掃除を手軽に行うことができる。
【図面の簡単な説明】
【００４７】
【図１】本発明の実施形態に係わる実施例を示すもので、食器洗い機の縦断面図。
【図２】本発明の実施形態に係わる実施例を示すもので、残滓濾過フィルタと遮蔽部材を上側から見た図。
【図３】本発明の実施形態に係わる他の実施例を示すもので、残滓濾過フィルタと遮蔽部材のところを縦に断面した部分断面図。
【図４】本発明の実施形態に係わる他の実施例を示すもので、残滓濾過フィルタと遮蔽部材を上側から見た図。
【図５】本発明の実施形態に係わる実施例を示すもので、食器洗い機のブロック制御回路図。
【図６】本発明の実施形態に係わる実施例を示すもので、残滓濾過フィルタの駆動装置を示す図。
【図７】本発明の実施形態に係わる実施例を示すもので、駆動装置の運転制御動作を示す図。
【符号の説明】
【００４８】
２…洗浄槽、１１…噴射ノズル体、１３…洗浄ポンプ、１６…残滓濾過フィルタ。
【図１】
2006122362.tif 000003
【図２】
2006122362.tif 000004
【図３】
2006122362.tif 000005
【図４】
2006122362.tif 000006
【図５】
2006122362.tif 000007
【図６】
2006122362.tif 000008
【図７】
2006122362.tif 000009